(57)【特許請求の範囲】
【請求項１】
上位の階層のセルである第１のセルと、互いに隣接する下位の階層のセルである第２のセルと第３のセルからなる階層化セル構造を有し、
前記第１のセルを制御する第１の基地局と、
前記第２のセルを制御する第２の基地局と、
前記第３のセルを制御する第３の基地局と
を備え、
前記第１の基地局は、前記第１のセルから隣接するセルへのハンドオーバを可能とするための、前記第２のセルに関する情報を含み、前記第３のセルに関する情報を含まない第１の隣接セル情報を送信し、
前記第２の基地局は、前記第２のセルから隣接するセルへのハンドオーバを可能とするための、前記第１のセルに関する情報と、前記第３のセルに関する情報を含む第２の隣接セル情報を送信し、
前記第３の基地局は、前記第３のセルから隣接するセルへのハンドオーバを可能とするための、前記第２のセルに関する情報を含み、前記第１のセルに関する情報を含まず、かつ、含む情報が前記第３のセルと同じ階層のセルに関する情報に制限されている第３の隣接セル情報を送信する
セルラ無線通信システム。
【請求項２】
前記第２のセルは、前記第１のセルによってカバーされる区域内に存在する建物の出入り口を含む屋内の区域をカバーするセルであり、
前記第３のセルは、前記建物の前記出入り口を除く屋内の区域をカバーするセルである
請求項１に記載のセルラ無線通信システム。
【請求項３】
前記セルラ無線通信システムは、ＤＳ−ＣＤＭＡ方式のセルラ無線通信システムであり、
前記第１乃至第３の隣接セル情報には、それぞれ、セルを制御する基地局が使用する拡散符号が含まれる
請求項１または２に記載のセルラ無線通信システム。
【請求項４】
上位の階層のセルである第１のセルと、互いに隣接する下位の階層のセルである第２のセルと第３のセルからなる階層化セル構造を有するセルラ無線通信システムのハンドオーバ処理方法であって、
前記第１のセルから隣接するセルへのハンドオーバを可能とするための、前記第２のセルに関する情報を含み、前記第３のセルに関する情報を含まない第１の隣接セル情報を、前記第１のセルを制御する第１の基地局から送信するステップと、
前記第２のセルから隣接するセルへのハンドオーバを可能とするための、前記第１のセルに関する情報と、前記第３のセルに関する情報を含む第２の隣接セル情報を前記第２のセルを制御する第２の基地局から送信するステップと、
前記第３のセルから隣接するセルへのハンドオーバを可能とするための、前記第２のセルに関する情報を含み、前記第１のセルに関する情報を含まず、かつ、含む情報が前記第３のセルと同じ階層のセルに関する情報に制限されている第３の隣接セル情報を前記第３のセルを制御する第３の基地局から送信するステップと、
前記第１乃至第３の基地局から送信され、移動端末により受信された隣接セル情報に基づいて、セルの信号品質を移動端末が測定するステップと、
前記移動端末の測定結果に基づいて、前記移動端末のハンドオーバ先セルを前記隣接セル情報に情報が含まれるセルのうちから決定するステップと
を含むハンドオーバ処理方法。
【請求項５】
前記セルラ無線通信システムは、ＤＳ−ＣＤＭＡ方式のセルラ無線通信システムであり、
前記第１乃至第３の隣接セル情報には、それぞれ、セルを制御する基地局が使用する拡散符号が含まれる
請求項４に記載のハンドオーバ処理方法。
【発明の詳細な説明】
【技術分野】
【０００１】
本発明は、セルラ無線通信システムに関し、特に、セルラ無線通信システムにおける移動端末のハンドオーバ処理に関する。
【背景技術】
【０００２】
ＤＳ−ＣＤＭＡ（Direct Spread Code Division Multiple Access）方式のセルラ無線通信システムが実用化されている。ＤＳ−ＣＤＭＡ方式では、隣接するセルは拡散符号によって識別されるため、セル設計おける周波数繰り返しの制約が無いという特徴がある。このため、ＤＳ−ＣＤＭＡ方式のセルラ無線通信システムでは、セル配置の正則性に縛られることなく、トラフィックの分布状況等に応じてセル半径の異なるセルを柔軟に配置することができる。また、セル半径の異なるセルを階層的に重畳して展開する階層化セル構造の採用も容易である。階層化セル構造とは、ある基地局装置（ＢＳ：Base station）によってカバーされるセル内に、セル半径が小さい基地局装置を配置した構成である（例えば特許文献１を参照）。なお、以下では、セル半径の異なるセルを識別するために、セル半径の大きいものから順にマクロセル、マイクロセル、ピコセルの名称を使用することとする。
【０００３】
また、セルラ無線通信システムでは、移動端末（ＭＳ：Mobile Station）のセル間移動に伴って、移動端末にサービスを提供するセルを新しいセルに引き継ぐためのハンドオーバ処理が実行される。移動端末は、隣接セルの基地局装置からの信号品質、具体的には、受信信号レベルや希望波信号電力対干渉電力比（ＳＩＲ：Signal to Interference power Ratio）を測定し、測定結果を、基地局装置及びハンドオーバ処理を制御する無線網制御装置（ＲＮＣ：Radio Network Controller）に通知する。無線網制御装置は、通信端末から得た測定結果報告をもとにハンドオーバの実行を決定し、ハンドオーバを行う場合には、基地局装置及び移動端末に対して必要な制御情報を通知することにより、ハンドオーバを実行する。
【０００４】
なお、移動端末は、現在サービスを受けている基地局装置から下り制御チャネルを介して放置された隣接セル情報を保持しており、この隣接セル情報を参照することによって、ハンドオーバ処理において信号品質の測定対象とする隣接セルを決定する。ここで、隣接セル情報とは、隣接セルの基地局装置が送信する信号品質を測定するために必要な情報である。例えば、Ｗ−ＣＤＭＡ規格のセルラ無線通信システム等のように基地局装置間が非同期のセルラ無線通信システムの場合、隣接セルの基地局装置が使用している拡散符号が隣接セル情報によって移動端末に通知される。移動端末は、隣接セル情報によって基地局装置から通知された拡散符号を用いて逆拡散処理を順次行うことにより、測定に使用する拡散符号の数を隣接セル数に限定することができる。また、ｃｄｍａ２０００規格のセルラ無線通信システム等のように基地局装置間が同期されたセルラ無線通信システムでは、同一の拡散符号を基地局装置毎に異なる遅延を与えて使用するため、拡散符号の遅延情報が隣接セル情報として通知される。
【０００５】
上述したハンドオーバ処理の説明は、ＤＳ−ＣＤＭＡ方式のセルラ無線通信システムを例として行なったが、ＦＨ−ＣＤＭＡ（Frequency hopping Code Division Multiple Access）方式やＦＤＭＡ（Frequency Division Multiple Access）方式などの他のセルラ無線通信システムにおいても、移動端末は、基地局装置から報知される隣接セル情報を参照することによって信号品質の測定対象とする隣接セルを決定することができる。例えば、ＦＤＭＡ（Frequency Division Multiple Access）方式であれば、隣接セルの基地局装置が使用する周波数チャネルが隣接セル情報によって通知される。
【特許文献１】特表２００４−５３５１４３号公報
【発明の開示】
【発明が解決しようとする課題】
【０００６】
上述した階層化セル構造の採用や、マイクロセル及びピコセルの積極的な導入が行われることによって、セル半径の小規模化が進展し、隣接セルの数が増加していく傾向がある。隣接セル数の増加は、基地局装置に保持させる隣接セル情報の増加を招き、プロビジョニング時の基地局装置への設定作業量の増加の原因となる。一方、移動端末では、隣接セル数の増大によって、隣接セル情報を保持するための記憶領域が増加することに加え、ハンドオーバ判定時の処理量が増大するという問題がある。また、隣接セル数の増大はハンドオーバが頻発する原因となり、基地局装置、移動端末、及びハンドオーバ処理を制御する無線網制御装置（ＲＮＣ：Radio Network Controller）の処理負担の増加を招く可能性もある。
【０００７】
本発明は上述した問題点を考慮してなされたものであり、本発明の目的は、隣接セル数の増加に起因して発生する上述した問題の影響を軽減することである。
【課題を解決するための手段】
【０００８】
本発明の第１の態様にかかるセルラ無線通信システムは、上位の階層のセルである第１のセルと、互いに隣接する下位の階層のセルである第２のセルと第３のセルからなる階層化セル構造を有し、前記第１のセルを制御する第１の基地局と、前記第２のセルを制御する第２の基地局と、前記第３のセルを制御する第３の基地局とを備え、前記第１の基地局は、前記第１のセルから隣接するセルへのハンドオーバを可能とするための、前記第２のセルに関する情報を含み、前記第３のセルに関する情報を含まない第１の隣接セル情報を送信し、前記第２の基地局は、前記第２のセルから隣接するセルへのハンドオーバを可能とするための、前記第１のセルに関する情報と、前記第３のセルに関する情報を含む第２の隣接セル情報を送信し、前記第３の基地局は、前記第３のセルから隣接するセルへのハンドオーバを可能とするため、前記第２のセルに関する情報を含み、前記第１のセルに関する情報を含まず、かつ、含む情報が前記第３のセルと同じ階層のセルに関する情報に制限されている第３の隣接セル情報を送信する。
【０００９】
このような構成により、Ｗ−ＣＤＭＡ方式における隣接セルで使用される拡散符号のような各基地局装置に設定すべき制御情報、つまり隣接セル情報を減少させることができる。また、基地局装置が報知する隣接セル情報の情報量が減少するため、移動端末が隣接セル情報を保持するための記憶領域の増加を抑制できる。また、ハンドオーバ時に移動端末が品質測定を行うべき対象セル数を削減できるため、移動端末の処理量を削減し、ハンドオーバ処理を効率的に行うことができる。
【００１０】
この構成によって、ハンドオーバが実行される移動端末のセル間移動を制限することができる。これにより、階層化セル構造の採用によって隣接セル数が増大してもハンドオーバの頻発を抑制できる。このため、基地局装置、移動端末及び無線網制御装置のハンドオーバ処理負担を削減できる。
【００１１】
前記第２のセルは、前記第１のセルによってカバーされる区域内に存在する建物の出入り口を含む屋内の区域をカバーするセルであり、前記第３のセルは、前記建物の前記出入り口を除く屋内の区域をカバーするセルであるようにすることができる。このような構成により、現実的な移動端末の移動性は保証しながら、基地局装置が報知すべき隣接セルの情報量を削減し、不要なハンドオーバの発生を抑制することができる。
【００１２】
なお、前記第１の態様にかかるセルラ無線通信システムが、ＤＳ−ＣＤＭＡ方式のセルラ無線通信システムである場合は、前記第１乃至第３の隣接セル情報には、それぞれ、セルを制御する基地局が使用する拡散符号が含まれるようにすればよい。
【００１３】
本発明の第２の態様にかかるハンドオーバ処理方法は、上位の階層のセルである第１のセルと、互いに隣接する下位の階層のセルである第２のセルと第３のセルからなる階層化セル構造を有するセルラ無線通信システムのハンドオーバ処理方法であって、前記第１のセルから隣接するセルへのハンドオーバを可能とするための、前記第２のセルに関する情報を含み、前記第３のセルに関する情報を含まない第１の隣接セル情報を、前記第１のセルを制御する第１の基地局から送信するステップと、前記第２のセルから隣接するセルへのハンドオーバを可能とするための、前記第１のセルに関する情報と、前記第３のセルに関する情報を含む第２の隣接セル情報を前記第２のセルを制御する第２の基地局から送信するステップと、前記第３のセルから隣接するセルへのハンドオーバを可能とするための、前記第２のセルに関する情報を含み、前記第１のセルに関する情報を含まず、かつ、含む情報が前記第３のセルと同じ階層のセルに関する情報に制限されている第３の隣接セル情報を前記第３のセルを制御する第３の基地局から送信するステップと、前記第１乃至第３の基地局から送信され、移動端末により受信された隣接セル情報に基づいて、セルの信号品質を移動端末が測定するステップと、前記移動端末の測定結果に基づいて、前記移動端末のハンドオーバ先セルを前記隣接セル情報に情報が含まれるセルのうちから決定するステップとを含む。
【００１４】
このようなハンドオーバ処理方法によって、基地局装置に設定すべき制御情報、つまり隣接セル情報を減少させることができる。また、基地局装置が報知する隣接セル情報の情報量が減少するため、移動端末が隣接セル情報を保持するための記憶領域の増加を抑制できる。また、ハンドオーバ時に移動端末が品質測定を行うべき対象セル数を削減できるため、移動端末の処理量を削減し、ハンドオーバ処理を効率的に行うことができる。
【発明の効果】
【００１５】
本発明によって、Ｗ−ＣＤＭＡ方式における隣接セルで使用される拡散符号のような基地局装置が報知するべき隣接セル情報の情報量を減少させることができ、隣接セル数の増加に対して頑強なセルラ無線通信システム及びハンドオーバ処理方法を提供できる。
【発明を実施するための最良の形態】
【００１６】
以下では、本発明を適用した具体的な実施の形態について、図面を参照しながら詳細に説明する。各図面において、同一要素には同一の符号が付されており、説明の明確化のため、必要に応じて重複説明は省略する。なお、以下に示す発明の実施の形態は、Ｗ−ＣＤＭＡセルラ無線通信システムに本発明を適用したものである。
【００１７】
発明の実施の形態１．
本実施の形態にかかるセルラ無線通信システム１の構成を図１に示す。図１において、セル１０ａ、１０ｂ及び１０ｃは、それぞれ基地局装置１１ａ、１１ｂ及び１１ｃよって制御されるセルを示している。例えば、セル１０ａに存在する移動端末、例えば図１の移動端末５０ａは、基地局装置１１ａと無線インタフェースにより接続される。同様に、他の２つのセル１０ｂ又は１０ｃ内に存在する移動端末、例えば図１の移動端末５０ｂ及び５０ｃは、基地局装置１１ｂ又は１１ｃと無線インタフェースによって接続される。無線網制御装置６０は、基地局装置１１ａ、１１ｂ及び１１ｃと接続され、基地局装置１１ａ、１１ｂ及び１１ｃに割り当てる無線リソースの管理、基地局装置１１ａ、１１ｂ及び１１ｃの制御、移動端末５０ａ、５０ｂ及び５０ｃのハンドオーバの制御などを実行する。
【００１８】
セルラ無線通信システム１において、ハンドオーバは以下のように実行される。基地局装置１１ａ、１１ｂ及び１１ｃは、それぞれがカバーするセル内の移動端末に対し、下り制御チャネルを使用して隣接セル情報を含む報知情報を通知する。Ｗ−ＣＤＭＡ規格のセルラ無線通信システム１では、隣接セルの基地局装置が使用している拡散符号が隣接セル情報として移動端末に通知される。
【００１９】
移動端末５０ａ、５０ｂ及び５０ｃは、それぞれが属するセルの基地局装置１１ａ、１１ｂ又は１１ｃから通知された隣接セル情報に含まれる拡散符号を用いて逆拡散処理を行って、隣接セルの基地局装置からの信号品質、具体的には、受信信号レベルやＳＩＲを測定する。さらに、測定結果をそれぞれが属するセルの基地局装置１１ａ、１１ｂ又は１１ｃ及び無線網制御装置６０に通知する。
【００２０】
無線網制御装置６０は、移動端末から通知された測定結果報告をもとに、ハンドオーバ処理を実行する。
【００２１】
なお、本実施の形態にかかるセルラ無線通信システム１は、基地局装置１１ａ、１１ｂ及び１１ｃから報知される隣接セル情報に、必ずしも全ての隣接セルに関する情報が含まれていないこと、言い換えると、少なくとも一部の基地局装置が報知する隣接セル情報の内容は、隣接セルの総数より小さい数の隣接セルに関するものに限定されていることを特徴としている。
【００２２】
基地局装置１１ａ、１１ｂ及び１１ｃが報知する隣接セル情報の具体的な設定例を図２に示す。例えば、基地局装置１１ａが報知する隣接セル情報には、基地局装置１１ｂが使用する拡散符号が含まれているが、基地局装置１１ｃが使用する拡散符号は含まれていない。このため、セル１０ａに属する移動端末は、セル１０ｂへのハンドオーバが可能であるが、隣接するセル１０ｃへの直接のハンドオーバは不可能である。
【００２３】
また、基地局装置１１ｂが報知する隣接セル情報には、基地局装置１１ａが使用する拡散符号及び基地局装置１１ｃが使用する拡散符号が含まれている。このため、セル１０ｂに属する移動端末は、セル１０ａ及び１０ｃへのハンドオーバが可能である。
【００２４】
また、基地局装置１１ｃが報知する隣接セル情報には、基地局装置１１ｂが使用する拡散符号が含まれているが、基地局装置１１ａが使用する拡散符号は含まれていない。このため、セル１０ｃに属する移動端末は、セル１０ｂへのハンドオーバが可能であるが、隣接するセル１０ａへの直接のハンドオーバは不可能である。
【００２５】
上述したような隣接セル情報の設定を行うと、ハンドオーバできるセルの組み合わせが限定されるため、移動端末の移動性が制限される可能性がある。つまり、移動端末は、隣接セル情報によって拡散符号を受け取っていないセルへのハンドオーバを行うことができない。この場合、移動端末は、いったん無線ネットワークから切り離された後に、接続可能なセルを捕捉するためのネットワークサーチを行い、接続可能なセルへの位置情報登録後、待ち受け状態に遷移することになる。
【００２６】
しかしながら、セルが互いに隣接している場合であっても、地理的な制約や、移動端末を持つユーザの移動経路などを考慮することにより、物理的な移動端末の移動が発生しないセル間でのハンドオーバに上述した制約を設けても、現実的な移動端末の移動性は保証することができる。
【００２７】
例えば、セル１０ａは屋外をカバーするセル、セル１０ｂはビルの玄関が設けられたフロアをカバーするセル、セル１０ｃはビル内をカバーするセルとして構成する場合が考えられる。この場合、ビル内のユーザはビルの玄関を通って屋外に出るため、セル１０ｃに属する移動端末は、セル１０ｃ、セル１０ｂ、セル１０ａの順にハンドオーバ可能であれば、現実的な移動端末の移動性は保証することができる。
【００２８】
上述したように、基地局装置が報知する隣接セル情報を、隣接セルの総数より小さい数の隣接セルに関するものに制限することによって、基地局装置に設定すべき隣接セル情報を減少させることができる。また、これにより、プロビジョニング時の基地局装置への設定作業量を削減できる。
【００２９】
さらに、基地局装置が報知する隣接セル情報の情報量が減少するため、移動端末が隣接セル情報を保持するための記憶領域の増加を抑制できる。また、ハンドオーバ時に移動端末が品質測定を行うべき対象セル数を削減できるため、移動端末の処理量を削減し、ハンドオーバ処理を効率的に行うことができる。
【００３０】
またさらに、ハンドオーバが実行される移動端末のセル間移動を制限することによって、隣接セル数が増大してもハンドオーバの頻発を抑制できる。このため、基地局装置、移動端末及び無線網制御装置のハンドオーバ処理負担を削減できる。
【００３１】
発明の実施の形態２．
本実施の形態は、階層化セル構造を有するネットワークに本発明を適用したものである。本実施の形態にかかるセルラ無線通信システム２の構成を図３に示す。なお、図３では、移動端末及び無線網制御装置の記載を省略している。図３において、マクロセル２０ａ及び２０ｂは、それぞれ基地局装置２１ａ及び２１ｂによって制御される。マイクロセル３０ａ、３０ｂ及び３０ｃは、それぞれ基地局装置３１ａ、３１ｂ及び３１ｃによって制御される。また、ピコセル４０ａ及び４０ｂは、それぞれ基地局装置４１ａ及び４１ｂによって制御される。
【００３２】
マイクロセル３０ａ、３０ｂ及び３０ｃは、マクロセル２０ａがカバーする区域内に階層的に設けられたセルである。マイクロセル３０ａ、３０ｂ及び３０ｃは、例えば、トラフィックが特に集中する区域をカバーする目的や、障害物の存在によって基地局装置２１ａの信号品質が十分でない区域をカバーする目的などのために設けられる。また、ピコセル４０ａ及び４０ｂは、マイクロセル３０ａがカバーする区域内に階層的に設けられたセルである。ピコセル４０ａ及び４０ｂは、例えば、マクロセル２０ａに含まれる建物の屋内をカバーするために設けられる。
【００３３】
典型的には、マクロセル２０ａ及び２０ｂのセル半径が数ｋｍ〜数十ｋｍ程度、マイクロセル３０ａ、３０ｂ及び３０ｃのセル半径が数百ｍ程度、ピコセル４０ａ及び４０ｂのセル半径が十〜数十ｍ程度であるが、本発明はこのようなセル半径の場合に限定されるものではない。また、３階層に階層化された構造は一例であり、２階層の場合、また４階層以上に階層化されている場合もある。
【００３４】
本実施の形態にかかるセルラ無線通信システム２は、階層の異なるセル間での移動端末のハンドオーバを制限していることを特徴としている。図３に記載した双方向の矢印は、ハンドオーバ可能な隣接セル間の関係を示している。具体的には、マクロセル階層とマイクロセル階層の間でのハンドオーバは、マクロセル２０ａとマイクロセル３０ａとの間で実行し、マクロセル２０ａとマイクロセル３０ｂとの間、並びに、マクロセル２０ａ及び２０ｂとマイクロセル３０ｃとの間では実行しない。また、マイクロセル階層とピコセル階層の間でのハンドオーバは、マイクロセル３０ａとピコセル４０ａとの間で実行し、マイクロセル３０ａ及び３０ｂとピコセル４０ｂとの間では実行しない。
【００３５】
以下では、異なる階層間でのハンドオーバを実行可能なセル、つまり、セル２０ａ、３０ａ及び４０ａをエントランスセルと呼ぶ。また、同一階層内でのハンドオーバは可能であるが、階層の異なるセルとの間でのハンドオーバを実行できないセル、つまり、セル２０ｂ、３０ｂ、３０ｃ及び４０ｂをサブセルと呼ぶ。
【００３６】
このようにハンドオーバ可能なセルの関係を制限した場合に、セルラ無線通信システム２に含まれる各基地局装置が報知する隣接セル情報の設定例を図４に示す。例えば、エントランスセルであるマクロセル２０ａを制御する基地局装置２１ａが報知する隣接セル情報には、同一階層のマクロセル２０ｂを制御する基地局装置２１ｂが使用する拡散符号と、下位階層のマイクロセル３０ａを制御する基地局装置３１ａが使用する拡散符号が含まれている。しかしながら、マイクロセル３０ｂ及び３０ｃを制御する基地局装置３１ｂ及び３１ｃが使用する拡散符号の情報は含まれない。このため、マクロセル２０ａに属する移動端末は、マイクロセル３０ａへのハンドオーバが可能であるが、隣接するマイクロセル３０ｂ及び３０ｃへの直接のハンドオーバは不可能である。
【００３７】
また、エントランスセルであるマイクロセル３０ａを制御する基地局装置３１ａが報知する隣接セル情報には、上位階層の基地局装置２１ａ、同一階層の基地局装置３１ｂ及び下位階層の基地局装置４１ａが使用する拡散符号がそれぞれ含まれている。しかしながら、下位階層のピコセル４０ｂを制御する基地局装置４１ｂが使用する拡散符号は含まれない。このため、マイクロセル３０ａに属する移動端末は、マクロセル３０ａ、マイクロセル３０ｂ及びピコセル４０ａへのハンドオーバが可能であるが、隣接するピコセル４０ｂへの直接のハンドオーバは不可能である。
【００３８】
具体的な例として、２階建て建物の１階をカバーするピコセルと、２階をカバーするピコセルとを設け、１階のピコセルを屋外のマイクロセル又はマクロセルとの間でハンドオーバ可能なエントランスセルとする構成が考えられる。また、地下街を複数のピコセルによってカバーする場合に、地上への階段等の地上への出入り口がある区域をエントランスセルとし、それ以外をサブセルとする構成が考えられる。
【００３９】
このように階層化セル構造を採用したセルラ無線通信システム２に含まれるセル群を、階層間でのハンドオーバが可能なエントランスセルと、階層内でのハンドオーバのみに制限されたサブセルとに区分けすることにより、以下に述べる効果が得られる。第１に、基地局装置が報知する隣接セル情報が、隣接セルの総数より小さい数の隣接セルに関するものに制限される。このため、基地局装置に設定すべき隣接セル情報を減少させることができる。また、これにより、プロビジョニング時の基地局装置への設定作業量を削減できる。
【００４０】
第２に、基地局装置が報知する隣接セル情報の情報量が減少するため、移動端末が隣接セル情報を保持するための記憶領域の増加を抑制できる。また、ハンドオーバ時に移動端末が品質測定を行うべき対象セル数を削減できるため、移動端末の処理量を削減し、ハンドオーバ処理を効率良く行うことができる。
【００４１】
第３に、ハンドオーバが実行される移動端末のセル間移動を制限することによって、隣接セル数が増大してもハンドオーバの頻発を抑制できる。このため、基地局装置、移動端末及び無線網制御装置のハンドオーバ処理負担を削減できる。
【００４２】
なお、本実施の形態では、１つの階層に１つのエントランスセルを設ける場合を説明したが、１つの階層に複数のエントランスセルを設けてもよい。
【００４３】
また、発明の実施の形態１及び２では、Ｗ−ＣＤＭＡセルラ無線通信システムについて説明したが、ｃｄｍａ２００方式などの他のＤＳ−ＣＤＭＡ方式やＦＨ−ＣＤＭＡ方式など、Ｗ−ＣＤＭＡ方式以外のセルラ無線通信システムに対しても適用可能である。
【００４４】
さらに、本発明は上述した実施の形態のみに限定されるものではなく、既に述べた本発明の要旨を逸脱しない範囲において種々の変更が可能であることは勿論である。
【図面の簡単な説明】
【００４５】
【図１】発明の実施の形態１にかかるセルラ無線通信システムの構成図である。
【図２】発明の実施の形態１にかかるセルラ無線通信システムにおける隣接セル情報の設定例を示す図である。
【図３】発明の実施の形態２にかかるセルラ無線通信システムの構成図である。
【図４】発明の実施の形態２にかかるセルラ無線通信システムにおける隣接セル情報の設定例を示す図である。
【符号の説明】
【００４６】
１、２  セルラ無線通信システム
１０ａ、１０ｂ、１０ｃ  セル
２０ａ、２０ｂ  マクロセル
３０ａ、３０ｂ、３０ｃ  マイクロセル
４０ａ、４０ｂ  ピコセル
１１ａ、１１ｂ、１１ｃ  基地局装置
２１ａ、２１ｂ  基地局装置
３１ａ、３１ｂ、３１ｃ  基地局装置
４１ａ、４１ｂ  基地局装置
５０ａ、５０ｂ、５０ｃ  移動端末
６０  無線網制御装置
【図１】
0004474384.tif 000002
【図２】
0004474384.tif 000003
【図３】
0004474384.tif 000004
【図４】
0004474384.tif 000005